(57)【要約】【課題】  複数枚の床材シートやタイルを敷き詰めた後、シーラボトルにより手作業で床材用シーラを塗布して目地どめする際、長い距離をフリーハンドで作業しても目地を外れることなく、綺麗に塗布することができるようにする。【解決手段】  シーラボトル２先端のキャップノズル部３にアタッチメント４を介して、キャップノズル部３の外面と平行に延出する金属製等の針状体５を設け、床材シートＴ間の目地ｍにシーラを塗布して目地どめする場合、針状体５の先端部を目地ｍ内に差し込んでシーラボトル２の移動をガイドしつつ塗布する。【選択図】      図４
2005344457.tif 000002
【特許請求の範囲】
【請求項１】
床材用の目地どめ用シーラが充填され且つ先端に設けられる円錐状の合成樹脂製キャップにシーラの吐出部に連なる貫通孔が形成されるシーラボトルと、前記キャップの吐出部近傍に設けられ且つキャップの外面とほぼ平行に延出する針状体とを備え、前記針状体が前記吐出部先端に接しないで近接していることを特徴とする目地どめ治具。
【請求項２】
前記針状体がキャップの材質より剛性のある材質であることを特徴とする請求項１に記載の目地どめ治具。
【請求項３】
前記針状体の先端部が、施工される床材の目地部に挿入可能であり、キャップ先端より延出する長さを調整可能であることを特徴とする請求項１又は請求項２に記載の目地どめ治具。
【発明の詳細な説明】
【技術分野】
【０００１】
本発明は、例えば床面に複数枚の床材シートやタイルを敷き詰めて施工する場合、床材シート等の継ぎ目部分に目地どめ用シーラを塗布して目地どめする治具に関する。
【背景技術】
【０００２】
従来、例えば広い床面積に複数枚の床材シートやタイルを敷き詰めて施工する場合、隣接する床材シートやタイルの継ぎ目部分にアクリル溶剤やシアノアクリレート等のケミカルシールを塗布したり、溶接棒による熱溶接などを行って水の浸入などを防ぐような目地どめ作業が行われており、作業の効率化のために速乾性のケミカルシールが多く使用されるようになっている。
そして、目地にケミカルシールを塗布する場合、例えば、シーラが充填される容器の先端部に吐出孔を有するキャップをねじで固定するようにし、このキャップの先端部を目地の中に差し込んだ状態でシーラを塗布するような技術が知られている。（例えば、特許文献１参照。）
【０００３】
【特許文献１】特開平８−１５７８０４号公報
【発明の開示】
【発明が解決しようとする課題】
【０００４】
ところで、前記特許文献１のように、キャップ先端部を、目地の中に差し込んでシーラを塗布するような技術では、例えばシーラがシアノアクリレート系の瞬間接着剤のような場合、吐出部内のシーラが硬化して目詰まりが発生したりしないように、キャップの素材として剛性を有する金属製のものでなく、ポリエチレン系のような比較的軟質の合成樹脂製のものが使用されるのが一般的である。このため、最初にキャップ先端部を目地の内部に差し込んでいても、長い目地を移動させながら塗布したり、曲線の目地に塗布するような場合には、途中からキャップ先端が目地から外れたり、キャップの先端部または全体が比較的軟質の素材でしかも先細りの構造になっているためキャップ先端が湾曲したりして、目地以外の個所に塗布されたり、塗布量が不安定になる等の不具合があった。このため仕上がりの美観を損ね易かった。
【０００５】
一方、吐出部の側面を定規などのガイドに当てて塗布すれば比較的綺麗に塗布できるが、手間がかかると同時に、ある程度の作業者の熟練度が必要であり、しかも、現場で施工者が定規などのガイドを準備していることは稀であり、更に、目地が曲線である場合などには、専用のガイド部材を準備する必要がある等、実用的ではなかった。
【０００６】
そこで本発明は、現場の施工者がシーラを塗布して目地どめする際、長い距離や曲線の目地に対してフリーハンドで作業しても目地を外れて塗布されることなく、綺麗に塗布することができるようにすることを目的とする。
【課題を解決するための手段】
【０００７】
上記目的を達成するため本発明は、床材用の目地どめ用シーラが充填され且つ先端に設けられる円錐状の合成樹脂製キャップ内にシーラの吐出部に連なる貫通孔が形成されるシーラボトルと、前記キャップの吐出部近傍に設けられ且つキャップの外面とほぼ平行に延出する針状体とを備えた目地どめ治具を構成し、前記針状体が前記吐出部先端に接しないで近接するようにした。
【０００８】
そして、例えば請求項２のように、針状体の材質として、キャップの材質より剛性を持たせ、また、請求項３のように、針状体の先端部を目地内に差し込んでシーラボトルの移動をガイドさせつつシーラを塗布すれば、シーラ吐出部の位置を安定させた状態で移動させることができ、目地が長い直線であっても曲線であっても、シーラが目地から外れて塗布されるようなことがなく、しかも吐出量も安定させることができる。
ここで本発明の目地どめ治具において、円錐状のキャップの吐出部近傍に針状体を設ける形態としては、針状体がキャップの円錐形状の外面とほぼ平行になると同時に、針状体が目地どめ作業時に固定状態になり、キャップ先端部分の延出量が変化しないようになっていればいかなる形態であっても良い。
【０００９】
そして、針状体の先端を、キャップ先端部より先端方向に延出させた状態とし、この延出量は、床材シートまたはタイルの厚みやシーラボトルの大きさ、吐出量、作業者の好みによって適宜調整される。
例えば、キャップの吐出部近傍に外嵌固定できる長さ５〜１０ｍｍ程度のリングを作成し、その外周部に針状体をキャップの外面とほぼ平行にして、その延出量を調整可能に固定してもよい。
なお、針状体をキャップの外面とほぼ平行にし、針状体が吐出部先端に接しないようにするのは、針状体がキャップのシーラ吐出孔を塞いでシーラの吐出の妨げにならないようにするためである。
【００１０】
また、針状体の材質としては、少なくともキャップ先端部より剛性を有し、目地どめ作業において、湾曲したり、曲ったりしないものであれば良い。例えばステンレス等の金属製の針や、剛性を有する硬質セラミック、合成樹脂製のものを使用することができる。
【００１１】
針状体の先端部の太さとしては、床材シートやタイルを施工する際の目地の幅より細いものが好ましい。先端部が目地幅より太くなってしまうと、作業に支障を来して好ましくない。針状体としては、全体が同じ太さであっても、先端先細りであっても良い。先端部分が鋭い鋭角であっても良いが、作業性を考慮すると、先端を面取りしたように丸めておいたほうが作業時の抵抗を軽減することが可能となる。
針状体の長さとしては、シーラボトルの大きさ、キャップの円錐状の長さ等によって適宜設定されるが、通常の場合、１０〜５０ｍｍ程度の長さがあればよい。１０ｍｍ未満であると、キャップへの固定が難しくなるとともに、延出量の調整幅が少なくなってしまう。５０ｍｍを超えると、無駄な部分が多くなる可能性がある。
【発明の効果】
【００１２】
円錐状の合成樹脂製キャップを有するシーラボトルのキャップの吐出部近傍に、キャップの円錐状部とほぼ平行に延出する針状体を設け、この針状体が吐出部先端に接しないで近接するようにするとともに、針状体の材質として、キャップの材質より剛性を持たせることにより、針状体の先端部を目地内に差し込んでシーラボトルの移動をガイドさせつつシーラを塗布すれば、シーラ吐出部の位置を安定させた状態で移動させることができ、目地が長い直線であっても曲線であっても、シーラが目地から外れて塗布されるようなことがなく、しかも吐出量も安定させることができる。このため、目地から外れた位置に塗布されたり、吐出量が不安定になる等の不具合を防止できる。
【発明を実施するための最良の形態】
【００１３】
本発明の実施の形態について添付した図面に基づき説明する。
ここで図１は本発明に係る目地どめ治具の分解斜視図、図２は使用状態を示す部分図、図３はアタッチメントに対する針状体の取付構造の説明図、図４は目地どめ治具の使用方法を示す説明図である。
【００１４】
本発明に係る目地どめ治具は、例えば、広い床面積に複数枚の床材シートやタイルを敷き詰めた後、現場の施工者等が継ぎ目部分に床材用シーラを塗布して目地どめする際、長い距離をフリーハンドで作業してもシーラが目地を外れることなく、しかも均一な吐出量で綺麗に塗布できるようにされており、円錐状キャップ先端の吐出部近傍に、キャップ外面とほぼ平行に延出する針状体を設けることを特徴としている。
【００１５】
すなわち、図１及び図２に示すように、本目地どめ治具１は、目地どめ用シーラを収容するシーラボトル２と、シーラボトル２の先端の円錐状のキャップノズル部３に着脱自在に嵌装されるアタッチメント４と、このアタッチメント４に取り付けられる針状体５を備えており、この針状体５はキャップノズル部３の円錐状部の外面と平行に延出して、その先端部がシーラ吐出孔６の近傍に臨むようにしている。
【００１６】
前記アタッチメント４は、図３に示すように、両側に一対のフィン部７を備えており、その一方側のフィン部７に前記針状体５をスライド自在に挿通せしめることのできる挿通孔４ｈが設けられ、この挿通孔４ｈをステンレス等の金属製の針、または剛性のあるセラミック、合成樹脂等の剛性のある素材からなる針状体５がスライド自在に挿通し、突出量を調整できるようにされている。
【００１７】
なお、本実施例では、シーラはシアノアクリレート系の瞬間接着剤であるため、シーラボトル２のボトル本体やキャップノズル部３の素材は、シーラが付着・硬化することのない比較的軟質のポリエチレン系素材としており、例えば、目地にシーラを塗布する際、キャップノズル部３を目地内に差し込んで塗布する場合に、目地に沿って長い距離を移動させたり、曲線を移動させながら塗布するような場合には、キャップノズル部３が湾曲したり、姿勢が不安定になりがちで、シーラが目地の外に外れて塗布されたり、吐出量が不安定になったりするものである。
【００１８】
次に、以上のような目地どめ治具１の作用等について説明する。
図４に示すように、床材シートＴを敷き詰めた後、針状体５の先端を目地ｍ内に差し込み、針状体５で移動をガイドしつつシーラを塗布してゆく。
すると、長い距離を移動させても、曲線を移動させても針状体５によってキャップノズル部３の姿勢が安定し、塗布部が目地ｍを外れるような不具合を抑制できるとともに、シーラの吐出量を均一にできる。
なお、この際、針状体５が挿通していない上向きのフィン部７をシーラボトル２の姿勢判断のガイドに利用することができ、このフィン部７を常に真上に向かせるよう保持しておくことで、シーラボトル２が左右に傾くことなく、シーラを一層確実に目地ｍ内に塗布することができる。
【００１９】
また、アタッチメント４が着脱自在なため、例えば特定のシーラボトル２内のシーラが空になった場合など、他のシーラボトル２に装着し直すことで、速やかに対応することができる。
また、目地ｍの深さが変わるような場合、針状体５を前後方向にスライドさせて突出量を変化させれば、容易に適切な位置に調整できる。
【００２０】
なお、本発明は以上のような実施形態に限定されるものではない。本発明の特許請求の範囲に記載した事項と実質的に同一の構成を有し、同一の作用効果を奏するものは本発明の技術的範囲に属する。
例えばシーラの種類等は任意で、また、シーラボトル２やキャップノズル部３は軟質材料であることに限定されるものではない。
また、針状体５を他の手段でキャップノズル部３に固定するようにしても良く、また、フィン部７を一対設けることは本発明の必須の要件ではない。
更に、床材シートＴ以外のタイルの目地ｍにも対応できることはいうまでもない。
【産業上の利用可能性】
【００２１】
シーラボトル内の床材シーラを先端のキャップノズル部から塗布するにあたり、キャップノズル部のシーラ吐出部近傍に設けた針状体を目地内に差し込んでシーラボトルの移動をガイドしつつ塗布するようにすることで、長い距離や曲線の目地内にフリーハンドで塗布する場合にも目地を外れないで塗布することができ、美観を損ねるような不具合がない。
【図面の簡単な説明】
【００２２】
【図１】本発明に係る目地どめ治具の分解斜視図
【図２】目地どめ治具の使用状態の部分図
【図３】アタッチメントに取り付けられる針状体の取付構造を示す説明図で、（ａ）はアタッチメントの全体図、（ｂ）は断面にした説明図
【図４】目地どめ治具の使用方法を示す説明図
【符号の説明】
【００２３】
１…目地どめ治具、２…シーラボトル、３…キャップノズル部、４…アタッチメント、５…針状体、６…吐出孔、７…フィン部、Ｔ…床材シート、ｍ…目地。
【図１】
2005344457.tif 000003
【図２】
2005344457.tif 000004
【図３】
2005344457.tif 000005
【図４】
2005344457.tif 000006